(57)【要約】【課題】  本発明は、握柄を反転自在に軸支持したことにより、ゴミ取り面を一般平地で使用する広い幅と、更に溝に使用できる狭い幅とに切り替えることのできるゴミ取り器に関する。平地用と溝用とに一つのゴミ取り器で対応できることと、更に溝への使用が平地での使用と同様の姿勢にて行えるゴミ取り器を提供する。【解決手段】  一方をゴミ取り入口とした長方形の空胴ボックスを構成し、この空胴ボックスの後壁に垂直で而も下端をボックスの空胴の長手方向を任意に変更できる握柄を、反転自在に保持したことを特徴とする。  【選択図】  図1
2007203023.tif 000002
【特許請求の範囲】
【請求項１】
対面する上下壁と、この上下壁の幅より短い左右側壁並びに後壁とで、一方をゴミ取り入り口とした長方形の空胴ボックスを構成し、この空胴ボックスの後壁に垂直で、而も下端をボックスの空胴の長手方向を任意に変更できる様、握柄を反転自在に保持したことを特徴としたゴミ取り器。
【請求項２】
握柄を空胴ボックスの後壁に貫通した軸にて反転自在に保持したことを特徴とした請求項１記載のゴミ取り器。
【請求項３】
握柄を空胴ボックスの後壁に設けられた縦横孔に差込んで反転自在に保持したことを特徴とした請求項１記載のゴミ取り器。
【請求項４】
自由端に弾性二又片を有する保持金具を空胴ボックスの後壁に固定し、握柄が水平状態でその下端を前記二又片の一片で保持し、且つ、垂直状態で他片が保持することを特徴とした請求項１記載のゴミ取り器。
【請求項５】
空胴ボックスを構成する上下壁と左右側壁との相隣接する一つの角部を切除して、覗窓を形成したことを特徴とした請求項１、２、３記載のゴミ取り器。
【発明の詳細な説明】
【技術分野】
【０００１】
本発明は、握柄を反転自在に軸支持したことにより、ゴミ取り面を一般平地で使用する広い幅と、更に溝に使用できる狭い幅とに切り替えることのできるゴミ取り器に関する。
【背景技術】
【０００２】
一般的に平地での掃き寄せたゴミは通常のゴミ取り器で取り除き、溝のゴミは溝用のゴミ取り器か他の挟み具に持ち替えて取り除いているのが現状である。
【０００３】
そこで、ゴミ取り入口を長方形に形成し、幅の広い面を平地に沿わせて使用し、又溝へは幅の狭い面を縦型、即ち直角に向きを変えて使用しているものが下記文献として存在する。
【０００４】
然しながら、その握柄は短く且つ一方向に固定（回転できない状態）されている為、平地での使用は腰を曲げた姿勢で行い、溝での使用は必然的にしゃがみ込む姿勢になり、又、溝の深さによっては困難な体勢を取らなければいけない。
【特許文献１】実公昭５６−５６８７５
【発明の開示】
【発明が解決しようとする課題】
【０００５】
平地用と溝用とに一つのゴミ取り器で対応できることと、更に溝への使用が平地での使用と同様の姿勢にて行える様にすること。
【課題を解決するための手段】
【０００６】
本発明は、上記課題を達成するために、一方をゴミ取り入口とした長方形の空胴ボックスを構成し、この空胴ボックスの後壁に垂直で、而も下端をボックスの空胴の長手方向を任意に変更できる握柄を反転自在に保持したことにより、平地用に対応する幅広のゴミ取り入口と、溝用に対応する幅狭のゴミ取り入口とに自在に変更することを可能としたゴミ取り器。
【発明の効果】
【０００７】
（１）請求項１により、一方をゴミ取り入口とした長方形の空胴ボックスの後壁に、反転自在に保持した握柄を装備することにより、例えば平地への使用、更には溝への使用がそのゴミ取り入口の方向を変えることにより容易に行えると共に、握柄は両使用共同じ姿勢で行え、苦痛を感じさせなく、高齢者への配慮を得ることができる。
（２）請求項3により、握柄の向きを変えて縦横孔に差し込むだけでよく、簡単に
ゴミ取り入口の方向を変えることができる。
(３)請求項４により、握柄の反転位置が保持金具にて堅固に確保でき、而もその反転によって弾性二又片間を弾性に抗して転移するだけでよく、各々の位置決めをネジ止するものに比し簡単な操作で行える。
（４）請求項５により、により、空胴ボックスの上下壁と左右側壁との相隣接する一つの角部を切除し、覗窓を形成することにより、ゴミ取り入れ時ボックス内の状態を確認することができる。
【発明を実施するための最良の形態】
【０００８】
以下、本発明を実施例の図面に基づいて説明する。図1はゴミ取り器の斜視図を示し、長方形の空胴ボックス１と握柄２とで成している。而して空胴ボックス１は対面する上下壁３、４とこの上下壁３、４の幅Rより短い幅Sの左右側壁５、６、更には後壁７及びゴミ取り入口８とで構成している。又、この空胴ボックス１の上壁３と相隣接する一方側壁６との角部を切除して覗窓９を形成している。この覗窓９は空胴ボックス1内の集めたゴミを確認する為のものであって、勿論、ネット、透明板にて覆ってもよい。
【０００９】
握柄２は、後壁７の軸孔１０に通した軸１１にて反転自在に軸支持されている。而して握柄２は図３の仮想線で示す如く、軸１１を中心に反転させる。その反転位置を保持する後壁７に取り付けられた保持金具１２にて保持する。具体的には保持金具１２に弾性二又片１２a、１２bを設け、保持金具１２は後壁７の取付孔１３、１３にボルト１４、１４にて取り付けられる。
【００１０】
図４は異なる実施例であって、空胴ボックス１を合成樹脂にて形成し、その後壁７に縦横孔１５ａ、１５bを有するТ字型受部１５を一体的に形成し、この縦横孔１５ａ、１５b
に握柄２を差し込んでいる。
図５は、平地Hでの使用状態を示し、幅広の下壁４が平地Hに接して使用する。而してその場合、握柄２は上下壁３、４に垂直に立てて使用している。図６は、狭い溝Wでの使用状態を示し、幅狭の一方側壁５を溝底に接して使用する。この場合握柄２は、左右側壁５、６に垂直に立てて使用している。
【図面の簡単な説明】
【００１１】
【図１】本発明のゴミ取り器の平地用の斜視図
【図２】同上の溝用の斜視図
【図３】同上の後壁の一部と保持金具の斜視図
【図４】異なる実施例を示す斜視図
【図５】同上の平地での使用状態を示す正面図
【図６】同上の溝での使用状態を示す正面図
【符号の説明】
【００１２】
１・・・空胴ボックス
２・・・握柄
３・・・上壁
４・・・下壁
５・・・側壁
６・・・側壁
７・・・後壁
８・・・ゴミ取り入口
９・・・覗窓
１０・・・軸孔
１１・・・軸
１２・・・保持金具
１２a・・弾性二又片
１２b・・弾性二又片
１３・・・取付孔
１４・・・ボルト
１５・・・Т字型受部
R・・・上下壁の幅
S・・・側壁の幅
H・・・平地
W・・・溝
【図１】
2007203023.tif 000003
【図２】
2007203023.tif 000004
【図３】
2007203023.tif 000005
【図４】
2007203023.tif 000006
【図５】
2007203023.tif 000007
【図６】
2007203023.tif 000008
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
対面する上下壁、左右側壁、後壁からなり、一方をゴミ取り入口とした長方形の空胴ボックスを構成し、前記空胴ボックスの後壁に握柄を装着したゴミ
取り器において、
前記側壁の高さ寸法を前記下壁の横幅寸法より小さく構成し、前記上壁は、一方の側壁に連接した部分に所定幅の規制壁を残して切欠部を設けると共に、他方の側壁の上端部分を切除して、一方の側壁の高さ寸法より小さくしてなり、
前記下壁を地面に接して、前記ゴミ取り入口からゴミを受け入れるゴミ取り器の第１使用形態と、前記一方の側壁を地面に接して、前記ゴミ取り入口からゴミを受け入れるゴミ取り器の第2使用形態とに、前記空胴ボックスを変換できるよう構成し、いずれの使用形態にあっても前記握柄が地面から略垂直に立設されるよう、前記握柄が前記後壁に変換自在に装着されることを特徴とするゴミ取り器。
【手続補正２】
【補正対象書類名】明細書
【補正対象項目名】０００４
【補正方法】変更
【補正の内容】
【０００４】
【特許文献１】実公昭５６−５６８７５号公報
【手続補正３】
【補正対象書類名】明細書
【補正対象項目名】０００６
【補正方法】変更
【補正の内容】
【０００６】
本発明は、上記課題を達成するために、対面する上下壁、左右側壁、後壁からなり、一方をゴミ取り入口とした長方形の空胴ボックスを構成し、前記空胴ボックスの後壁に握柄を装着したゴミ取り器において、
前記側壁の高さ寸法を前記下壁の横幅寸法より小さく構成し、前記上壁は、一方の側壁に連接した部分に所定幅の規制壁を残して切欠部を設けると共に、他方の側壁の上端部分を切除して、一方の側壁の高さ寸法より小さくしてなり、前記下壁を地面に接して、前記ゴミ取り入口からゴミを受け入れるゴミ取り器の第1使用形態と、前記一方の側壁を地面に接して、前記ゴミ取り入口からゴミを受け入れるゴミ取り器の第２使用形態とに、前記空胴ボックスを変換できるよう構成し、いずれの使用形態にあっても前記握柄が地面から略垂直に立設されるよう、前記握柄が前記後壁に変換自在に装着されることを特徴とする。
【手続補正４】
【補正対象書類名】明細書
【補正対象項目名】０００７
【補正方法】変更
【補正の内容】
【０００７】
請求項1により、一方をゴミ取り入口とした長方形の空胴ボックスの後壁に、握柄を変換自在に装着することにより、例えば平地への使用形態、更には狭い場所である溝への使用形態がそのゴミ取り入口の方向を変えることにより容易に変換できると共に、仮に握柄の長さを立ったままで操作できる長さにした場合は、両使用形態とも立ったままでの姿勢で行え、高齢者への配慮を得ることができる。また、上壁は一方の側壁に連接した部分に、所定幅の規制壁を残して切除することにより、溝等の狭い場所での掃き入れたゴミが規制壁により外にこぼれ出るのを防ぐことができる。さらに、他方の側壁の上端部分を切除したので、ゴミ取り作業中でもこの切除部からボックス内のゴミの状態を確認することができる。
【手続補正５】
【補正対象書類名】明細書
【補正対象項目名】０００８
【補正方法】変更
【補正の内容】
【０００８】
以下、本発明を実施例の図面に基づいて説明する。図1はゴミ取り器の斜視図を示し、長方形の空胴ボックス１と握柄２とで成している。而して、空胴ボックス１は対面する上下壁３、４と、この上下壁３、４の横幅寸法Rより小さい高さ寸法Sの左右側壁５、６、更には後壁７及びゴミ取り入口８とで構成している。また、この空胴ボックス１の上壁３は一方の側壁５に連接した部分に所定幅の規制壁を残して切欠部を形成している。また他方の側壁６の上端部分を切除した切除部を設けることにより、他方の側壁６の高さ寸法を一方の側壁５の高さ寸法より小さくする。そしてこの切除部と前記切欠部とで覗窓９を形成している。この覗窓９は、空胴ボックス１内の集めたゴミを確認する為のものであって、勿論、ネット、透明板にて覆ってもよい。
【手続補正６】
【補正対象書類名】明細書
【補正対象項目名】００１２
【補正方法】変更
【補正の内容】
【００１２】
１・・・空胴ボックス
２・・・握柄
３・・・上壁
４・・・下壁
５・・・一方側壁
６・・・他方側壁
７・・・後壁
８・・・ゴミ取り入口
９・・・覗窓
１０・・・軸孔
１１・・・軸
１２・・・保持金具
１２a・・弾性二又片
１２b・・弾性二又片
１３・・・取付孔
１４・・・ボルト
１５・・・T字型受部
R・・・上下壁の横幅寸法
S・・・側壁の高さ寸法
H・・・平地
W・・・溝